(57)【要約】【課題】封入封緘作業及び宛名ラベルの貼付作業を必要としないで、チラシ等を発行でき、しかも、保管容易で見やすい製袋フォームを提供する。【解決手段】ブック一体型製袋フォーム１０は、取扱説明書兼保証書として使用するものであり、冊子１１を構成する１枚以上の冊子票１１−１〜１１−ｎと、冊子票１１−１〜１１−ｎを表裏から挟む表カバー票１２及び裏カバー票１３と、各カバー票１２、１３の背部と冊子票１１−１〜１１−ｎの背部とを綴じる綴部１４と、各カバー票１２、１３の背部以外の周縁部を貼り合わせる貼合わせ部１５と、貼合わせ部１５を切り取って開封するミシン目（切取予定線）１６等とを備えている。【選択図】　　　　図１
2004114544.tif 000002
【特許請求の範囲】
【請求項１】
１枚以上の冊子票と、
前記冊子票を表裏から挟む２枚のカバー票と、
前記カバー票の背部と前記冊子票の背部とを綴じる綴部と、
前記カバー票の背部以外の周縁部を貼合わせる貼合わせ部と、
を備えたブック一体型製袋フォーム。
【請求項２】
請求項１に記載のブック一体型フォームにおいて、
前記カバー票は、前記貼付部を切り取って開封する切取予定線を備えたこと
を特徴とするブック一体型製袋フォーム。
【請求項３】
請求項１又は請求項２に記載のブック一体型フォームにおいて、
前記貼合わせ部は、少なくとも１つの通気部を備えたこと
を特徴とするブック一体型製袋フォーム。
【請求項４】
請求項１から請求項３までのいずれか１項に記載のブック一体型フォームにおいて、
前記カバー票は、いずれかの表面に印字予定領域を備え、
前記冊子票及びカバー票の合計の厚さは、前記印字予定領域へ印字する用紙用プリンタによって印字可能な厚さであること
を特徴とするブック一体型製袋フォーム。
【発明の詳細な説明】
【０００１】
【発明の属する技術分野】
本発明は、冊子票を表裏からカバー票で挟んで製袋可能なブック一体型製袋フォームに関するものである。
【０００２】
【従来の技術】
従来、販売店や通販業者等は、商品のチラシ、ダイレクトメール、カタログ又は冊子等（以下、「チラシ等」という。）を、顧客に対して郵送又は配布をしようとする場合に、チラシ等の印刷を行い、できあがった印刷物を、封筒の中に封入及び封緘し、宛名ラベルを貼り付ける作業が必要であった。
また、販売店は、商品を顧客に販売するときに、通常、保証書を発行し、メーカーが用意した取扱説明書を配布する。
【０００３】
【発明が解決しようとする課題】
しかし、チラシ等の封入封緘作業及び宛名ラベルの貼付作業は、販売や通販業者にとって、煩わしい作業であり、また、費用も発生する。
また、保証書及び取扱説明書は、重要書類として長期間に渡り保管する必要があるが、バラバラになりやすく、また、見にくいという問題があった。
【０００４】
本発明の課題は、封入封緘作業及び宛名ラベルの貼付作業を必要としないで、チラシ等を発行でき、しかも、保管容易で見やすいブック一体型製袋フォームを提供することである。
【０００５】
【課題を解決するための手段】
前記課題を解決するために、請求項１の発明は、１枚以上の冊子票と、前記冊子票を表裏から挟む２枚のカバー票と、前記カバー票の背部と前記冊子票の背部とを綴じる綴部と、前記カバー票の背部以外の周縁部を貼合わせる貼合わせ部と、を備えたブック一体型製袋フォームである。
【０００６】
請求項２の発明は、請求項１に記載のブック一体型フォームにおいて、前記カバー票は、前記貼付部を切り取って開封する切取予定線を備えたことを特徴とするブック一体型製袋フォームである。
【０００７】
請求項３の発明は、請求項１又は請求項２に記載のブック一体型フォームにおいて、前記貼合わせ部は、少なくとも１つの通気部を備えたことを特徴とするブック一体型製袋フォームである。
【０００８】
請求項４の発明は、請求項１から請求項３までのいずれか１項に記載のブック一体型フォームにおいて、前記カバー票は、いずれかの表面に印字予定領域を備え、前記冊子票及びカバー票の合計の厚さは、前記印字予定領域へ印字する用紙用プリンタによって印字可能な厚さであることを特徴とするブック一体型製袋フォームである。
【０００９】
【発明の実施の形態】
以下、図面等を参照して、本発明の実施の形態について、さらに詳しく説明する。
（実施形態）
図１〜図３は、本発明によるブック一体型製袋フォームの実施形態を示す図であって、図１は、外観斜視図、図２は、展開斜視図、図３は、表カバー票を示す図である。
本実施形態のブック一体型製袋フォーム１０は、取扱説明書兼保証書として使用するものであり、冊子１１を構成する１枚以上の冊子票１１−１〜１１−ｎと、冊子票１１−１〜１１−ｎを表裏から挟む表カバー票１２及び裏カバー票１３と、各カバー票１２、１３の背部と冊子票１１−１〜１１−ｎの背部とを綴じる綴部１４と、各カバー票１２、１３の背部以外の周縁部を貼り合わせる貼合わせ部１５と、貼合わせ部１５を切り取って開封するミシン目（切取予定線）１６等とを備えている。
また、貼合わせ部１５は、貼り合わせ時に、表カバー票１２及び裏カバー票１３の間に気泡が残り、印字不良が起こらないように、少なくとも１つの通気部を備えている。
【００１０】
このブック一体型製袋フォーム１０は、第１実施形態のように、取扱説明書兼保証書に使用する場合には、表カバー票１２は、図３に示すような、表面側に印字予定領域１２ａが設けられた保証書となり、冊子票１１−１〜１１−ｎは、取扱説明書となり、裏カバー票１３は、取扱説明書の最終枚目となり、その表面側に可変情報を記載する情報記載欄（印字予定領域）が設けられている。
【００１１】
次に、この実施形態のブック一体型製袋フォーム１０の使用方法について説明する。
（１）このブック一体型製袋フォーム１０は、図１のように貼り合された状態で取扱説明書兼保証書として、あらかじめ販売店で保管されているか、製品の箱等に添付されている。
表カバー票１２は、図３に示すように、保証書のタイトルと共に、製品の機種名、シリアル番号、お買い上げ日、保証期間、お客様住所、氏名及び電話番号、販売店名、住所及び電話番号等の項目が予め印刷してあり、各項目の情報を印字するための印字予定領域が設けられており、右上には、製品管理用のバーコードも設けられている。
また、販売店には、用紙用プリンタ付きのＰＯＳ端末が備えられており、本部の管理コンピュータと、ネット接続されている。
【００１２】
（２）販売店では、販売時に、製品のシリアル番号を見て、ＰＯＳ端末からキー入力する。
（３）続けて、お客様氏名、住所及び電話番号等の『顧客情報』を入力して、その場で、用紙用プリンタでプリントアウトし、『保証書』として機能を発揮するようにする。
また、裏カバー票１３の情報記載欄には、取扱説明書に予め印刷されていた事項の訂正等がある場合に、管理コンピュータに登録された訂正事項に基づいて、用紙用プリンタでプリントアウトする。
【００１３】
（４）プリントアウトされたブック一体型製袋フォーム１０は、取扱説明書兼保証書として、顧客に手渡される。
（５）同時に、『販売情報』や『顧客情報』のデータは、ネットを介して、管理コンピュータに登録される。
【００１４】
本実施形態によれば、以下のような利点がある。
（ａ）偽造・変造が困難性である。
その場で発行された保証書は、現状使用されている手書きやスタンプでの発行ではないので、偽造・変造が難しい。また、取扱説明書は、綴り状になっているので、改竄が難しい。
このとき、保証書内に偽造防止技術（ホログラムシールやパールインキ印刷等）を設ければ、より偽造や変造が困難になる。
【００１５】
また、取扱説明書を読むために破るミシン目の部分を活用して、割印や販売店控え用半券等を設ければ、偽造・変造防止効果は一段と高まる。
なお、盗難品には、このような随時発行型の取扱説明書が添付できないので、販売ができない（使用し難い）。
【００１６】
（ｂ）在庫確認が容易になる。
保証書の発行時点で、販売情報や顧客情報がメーカーや販売店に蓄積されるため、商品在庫量の適正化等の効率化が図れる。
（ｃ）シリアル番号のマッチングが不要になる。
保証書を製品に添付しておく必要がなく、製品と保証書とのシリアル番号マッチングが不要となり、また、例えば、多言語対応が可能になる。
【００１７】
（ｄ）訂正が容易かつ確実に行える。
一般に、工業製品は、市場で販売されてからも、顧客の要望等に応じて改変されていく場合、取扱説明書の記載事項に誤りがあった場合、又は、取扱説明書に紙片を挟んだりする場合があるが、保証書の発行と同時に、そのようなコメントを印字することが可能になるので、訂正等が容易かつ確実に行える。
【００１８】
（ｅ）プリンタ印字が容易である。
冊子票及びカバー票の合計の厚さは、所定の厚さに押えてあるので、用紙用プリンタによって印字可能である。また、周縁部を貼合わせ部で貼り合わせてあるので、様々な給紙方向のプリンタによって印字が可能である。
【００１９】
（変形形態）
以上説明した実施形態に限定されることなく、種々の変形や変更が可能であって、それらも本発明の均等の範囲内である。
（１）本実施形態では、取扱説明書兼保証書として説明したが、この他にも、小冊子カタログ、くじ等として使用することができる。
【００２０】
（ａ）小冊子カタログ
小冊子カタログの場合には、表カバー票に配達票、冊子票に商品説明、裏カバー票に商品説明書及び情報記載欄を設ければよい。
【００２１】
この小冊子カタログは、電話、ＦＡＸ又はインターネット等で申込まれた情報に基づいて、あらかじめ用意されたカタログの表紙（表カバー票）にプリントアウトして、そのまま配送することができる。
【００２２】
この小冊子カタログは、封入封緘業務が不要であるため、ラベラ等の特殊な設備が不要で、即時に配送することができる。
また、プリンタカセットにそれぞれ異種の小冊子を用意しておけば、『印字作業』自体が仕分け作業も兼ねているため、特殊な検査機等を導入しなくても、封入時のチェック等が不要となる。
【００２３】
（ｂ）くじ
くじの場合には、表カバー票に宛名等、冊子票にくじ、裏カバー票に裏表紙を設ければよい。
まず、入力装置に、名前、生年月目、星座、血液型その他の個人情報を入力する。このくじは、入力情報に基づいて、所定の演算を行い（又は行わないで）、その結果を、プリンタのカセットにセットされた用紙を選択してプリントアウトする。
【００２４】
このくじは、人が介在せずに、発行することができる。また、人為的に生成させたデジタルデータのみに依存しないため、クジとしての信頼性がある。
【００２５】
（２）このブック一体型フォームの寸法を、郵便規則に定める葉書や封筒の寸法にすれば、郵送することができる。
【００２６】
【発明の効果】
以上詳しく説明したように、本発明によれば、封入封緘作業及び宛名ラベルの貼付作業を必要としないで、チラシ等を発行でき、しかも、保管容易で見やすい製袋フォームを提供することができる。
【図面の簡単な説明】
【図１】本発明によるブック一体型製袋フォームの実施形態を示した外観斜視図である。
【図２】本実施形態によるブック一体型製袋フォームを示した展開斜視図である。
【図３】本実施形態によるブック一体型製袋フォームの表カバー票を示す図である。
【符号の説明】
１０　ブック一体型製袋フォーム
１１　冊子
１１−１〜１１−ｎ　冊子票
１２　表カバー票
１３　裏カバー票
１４　綴部
１５　貼合わせ部
１６　ミシン目（切取予定線）
【図１】
2004114544.tif 000003
【図２】
2004114544.tif 000004
【図３】
2004114544.tif 000005